(57)【特許請求の範囲】
【請求項１】
１枚の鋼板を折曲して組み上げることができる、建造物のコーナー部分に設置される出隅用水切り材であって、
上面、側面及び底面からなる断面略コの字状の基台部と、
上記上面から上方へ立ち上がる立ち上がり面とからなり、
上記基台部の底面は、中央部に切り欠き部が形成されて折り曲げられるようにされ、
折り曲げて合わされる上記切り欠き部の対向する左右側縁の、左側の側縁から突出する第１の突出片と、右側の側縁から突出する第２の突出片とが、水平方向で係合して組み合わされ、
上記基台部の上面は、中央部に切り欠き部が形成されて折り曲げられるようにされ、上記立ち上がり面は、上記上面の切り欠き部の両側の左右上面のそれぞれから立ち上がるように左右に対向して形成され、
これら左右立ち上がり面のうち、左側の立ち上がり面の中央側側縁から突出する第３の突出片と、右側の立ち上がり面の中央側側縁から突出する第４の突出片とが、立ち上がり面の後方面側に位置されて垂直方向に係合して組み合わされることを特徴とする出隅用水切り材。
【請求項２】
上記第１の突出片及び上記第２の突出片のうち、一方の突出片が他方の突出片の後側に位置し、上記一方の突出片の前端と上記他方の突出片の後端とが係合し、
上記第３の突出片及び上記第４の突出片のうち、左右方向において上記一方の突出片と同じ側の突出片が、上記一方の突出片と異なる側の突出片の上方に位置し、上記一方の突出片と同じ側の突出片の下端と、上記一方の突出片と異なる側の突出片の上端とが係合していることを特徴とする請求項１に記載の出隅用水切り材。
【請求項３】
上記第１の突出片及び上記第２の突出片が、上記基台部の底面の上面側に位置することを特徴とする請求項１又は２に記載の出隅用水切り材。
【請求項４】
上記立ち上がり面の前方面に、水平方向に延びるように配置された両面テープが備えられていることを特徴とする請求項１〜３のいずれか１に記載の出隅用水切り材。
【発明の詳細な説明】
【技術分野】
【０００１】
本発明は、出隅用水切り材に関する。
【背景技術】
【０００２】
従来から、建造物のコーナー部分に設置される出隅用土台水切りは、１枚の鋼板の板金加工によって形成されている。
特許文献１には、リベットなどの固定部材を用いることなく、1枚の鋼板を折曲して組み上げられるようにしたものが提案されている。
【０００３】
具体的に、特許文献１の出隅用土台水切りは、基台部と立ち上がり面からなり、基台の上面の中央重ね代を残して、中央重ね代の両側を切除する。そして、この切除部分から両側の基台を折曲したとき、中央重ね代と両側の基台の上面とが３枚重ねとなるようにする。さらに、上側に重ねられた基台の上面から連続する立ち上がり面の中央側側面に配置される係合重ね代と、下方に重ねられた基台上面から連続する立ち上がり面の中央側側面に配置される係止片とを、係止片の下端と係合重ね代の上端とにて係合する。
【０００４】
これにより、基台上面の上昇を抑えるとともに、係合重ね代及び係止片を立ち上がり面の表面側に係合することで、折曲して組み上げるときに水平方向に戻ろうとする力を抑えるようにして、組み上げた状態を保持している。
【先行技術文献】
【特許文献】
【０００５】
【特許文献１】特開２００９−５２３２１号公報
【発明の概要】
【発明が解決しようとする課題】
【０００６】
しかしながら、上記従来の出隅用土台水切りでは、係合重ね代及び係止片を立ち上がり面の表面側（外側）に係合しなければならないために、組み上げた状態での見栄えが悪く、出隅用土台水切りを設置する作業中などに、係合重ね代及び係止片が作業者の手や服に引っかかって起き上がり、係合状態が緩んで、左右の立ち上がり面間に隙間が生じたり、作業者が怪我をしたりする危険性があった。
【０００７】
また、上部に位置する立ち上がり面のみの係合により折曲状態を保持しようとしているために、下部に位置する基台部の底面の折曲状態が緩み、所定の組み上げ形状が保持され難かった。そのため、従来例では底面に隙間が生じないように重ね代を設けておく必要があった。
【０００８】
さらに、特開２００９−１９７４５１号公報に開示されるように、透湿シートを貼り付けるための両面テープを出隅用土台水切りの立ち上がり面の表面側（前方面）に貼着させる場合、係合重ね代及び係止片が立ち上がり面の表面側に位置するために、その凹凸により隙間が生じやすく、透湿シートの役割を阻害させる危険性があった。
【０００９】
本発明は、１枚の鋼板を折曲して、リベットなどの固定部材を用いることなく、組み上げることができ、しかも左右立ち上がり面の中央側側面に配置された係合重ね代及び係止片が立ち上がり面の前方面（表面側）に配置されずに、立ち上がり面の前方面に凹凸が生じない出隅用水切り材を提供することを目的とする。
【課題を解決するための手段】
【００１０】
本発明は、上述した課題を解決するために、以下の構成を採用する。
（１）  １枚の鋼板を折曲して組み上げることができる、建造物のコーナー部分に設置される出隅用水切り材であって、
上面、側面及び底面からなる断面略コの字状の基台部と、
上記上面から上方へ立ち上がる立ち上がり面とからなり、
上記基台部の底面は、中央部に切り欠き部が形成されて折り曲げられるようにされ、
折り曲げて合わされる上記切り欠き部の対向する左右側縁の、左側の側縁から突出する第１の突出片と、右側の側縁から突出する第２の突出片とが、水平方向で係合して組み合わされ、
上記基台部の上面は、中央部に切り欠き部が形成されて折り曲げられるようにされ、上記立ち上がり面は、上記上面の切り欠き部の両側の左右上面のそれぞれから立ち上がるように左右に対向して形成され、
これら左右立ち上がり面のうち、左側の立ち上がり面の中央側側縁から突出する第３の突出片と、右側の立ち上がり面の中央側側縁から突出する第４の突出片とが、立ち上がり面の後方面側に位置されて垂直方向に係合して組み合わされることを特徴とする出隅用水切り材。
【００１１】
（２）  上記（１）の出隅用水切り材であって、
上記第１の突出片及び上記第２の突出片のうち、一方の突出片が他方の突出片の後側に位置し、上記一方の突出片の前端と上記他方の突出片の後端とが係合し、
上記第３の突出片及び上記第４の突出片のうち、左右方向において上記一方の突出片と同じ側の突出片が、上記一方の突出片と異なる側の突出片の上方に位置し、上記一方の突出片と同じ側の突出片の下端と、上記一方の突出片と異なる側の突出片の上端とが係合していることを特徴とする。
【００１２】
（３）  上記（１）又は（２）の出隅用水切り材であって、
上記第１の突出片及び上記第２の突出片が、上記基台部の底面の上面側に位置することを特徴とする。
【００１３】
（４）  上記（１）〜（３）のいずれか１の出隅用水切り材であって、
上記立ち上がり面の前方面に、水平方向に延びるように配置された両面テープが備えられていることを特徴とする。
【発明の効果】
【００１４】
（１）の構成によれば、１枚の鋼板を折曲して所定の形状の出隅用水切り材に組み上げたときに、基台部の底面において第１の突出片と第２の突出片との係合により水平方向に働く力を規制し、立ち上がり面の第３の突出片と第４の突出片との係合により垂直方向に働く力を規制できる。
従って、リベットなどの固定部材を用いることなく、出隅用水切り材の所定の組み上げ形状を好適に維持できるとともに、第３の突出片及び第４の突出片を立ち上がり面の後方側に位置させて立ち上がり面の前方面を凹凸のない平滑面とできる。
【００１５】
（２）の構成によれば、左右のいずれか一方側の基台部底面及び立ち上がり面に設けられた突出片が、他方側の基台部底面及び立ち上がり面に設けられた突出片の外側に位置するようにして係合させられている。
従って、垂直方向に働く力をより一層規制でき、所定の組み上げ形状を強固に維持することができる。
【００１６】
なお、（２）の構成には、下記（２−１）及び（２−２）が含まれる。
（２−１）  第１の突出片が第２の突出片の後側に位置し、第１の突出片の前端と第２の突出片の後端とが係合し、第３の突出片が第４の突出片の上方に位置し、第３の突出片の下端と第４の突出片の上端とが係合していること。
（２−２）  第２の突出片が第１の突出片の後側に位置し、第２の突出片の前端と第１の突出片の後端とが係合し、第４の突出片が第３の突出片の上方に位置し、第４の突出片の下端と第３の突出片の上端とが係合していること。
【００１７】
（３）の構成によれば、立ち上がり面の第３の突出片と第４の突出片とを立ち上がり面の後方側に位置させることにより、立ち上がり面の前方面側を凹凸のない平滑面とできる。
従って、立ち上がり面の前方面に両面テープを隙間なく良好な状態で配置することができる。
【００１８】
（４）の構成によれば、両面テープが隙間なく良好な状態で配置されている。
従って、両面テープに貼り付けられる透湿シートや気密シート等の機能が隙間によって損なわれることを防止することができる。
【図面の簡単な説明】
【００１９】
【図１】本発明の一実施形態に係る出隅用水切り材を模式的に示す斜視図である。
【図２】（ａ）は、図１に示した出隅用水切り材の平面図であり、（ｂ）は、図１における矢印Ａ方向から見た出隅用水切り材の側面図であり、（ｃ）は、図１における矢印Ｂ方向から見た出隅用水切り材の側面図であり、（ｄ）は、底面図である。
【図３】図１に示した出隅用水切り材の製造前の状態における鋼板を示す平面図である。
【図４】本発明の他の実施形態に係る出隅用水切り材の製造前の状態における鋼板を示す平面図である。
【発明を実施するための形態】
【００２０】
本発明の実施の一例を図面に沿って詳細に説明する。
図１は、本発明の一実施形態に係る出隅用水切り材１０を模式的に示す斜視図である。
図２（ａ）は、図１に示した出隅用水切り材１０の平面図であり、（ｂ）は、図１における矢印Ａ方向から見た出隅用水切り材１０の側面図であり、（ｃ）は、図１における矢印Ｂ方向から見た出隅用水切り材１０の側面図であり、（ｄ）は、底面図である。
図３は、図１に示した出隅用水切り材１０の製造前の状態における鋼板１１を示す平面図である。
なお、本明細書における前後方向について、図１における手前側を前方向といい、奥側を後方向という。
【００２１】
出隅用水切り材１０は、建築物のコーナー部分における設置され、基礎と土台との間を覆うものである。本実施形態に係る出隅用水切り材１０は、１枚の鋼板１１（図３参照）を折曲して組み上げた状態（図１参照）で製造され、使用者や施工者は、出隅用水切り材１０を建築物のコーナー部分に釘止めすることにより、出隅用水切り材１０を設置する。
【００２２】
図１に示すように、出隅用水切り材１０は、基台部２０と立ち上がり面３０とからなる。
基台部２０は、基点５１と基点５２との間の折り曲げ線５０に沿って鋼板１１が折り曲げられることにより、左基台部２０Ｌ、中基台部２０Ｃ、及び右基台部２０Ｒに区画されている。
【００２３】
基台部２０（２０Ｌ、２０Ｃ、２０Ｒ）は、鋼板１１が断面略コの字状に成型された部分であり、上面２１（２１Ｌ、２１Ｃ、２１Ｒ）と、側面２２（２２Ｌ、２２Ｃ、２２Ｒ）と、底面２３（２３Ｌ、２３Ｃ、２３Ｒ）とからなる。
【００２４】
図３に示すように、鋼板１１は、側面２２Ｌ、２２Ｃの境界上端の基点５１と、側面２２Ｃ、２２Ｒの境界上端の基点５１との各々から上方へ向けて略Ｖ字状に切除されており、これらの切除部位が連なることにより、鋼板１１の上面２１における中央部には、切り欠き部２６が形成されている。
上面２１は、２つの基点５１の各々から上方へ延びるように形成された切り欠き部２６によって、左上面２１Ｌ、中上面２１Ｃ、右上面２１Ｒの３つに区画されている。
【００２５】
中上面２１Ｃの上下方向（図３）の幅は、左上面２１Ｌ及び右上面２１Ｒの上下方向（図３）の幅よりも長く、左上面２１Ｌの右側縁及び右上面２１Ｒの左側縁の長さと略合致する。また、中上面２１Ｃは、左側縁に第１の重ね代部２８を備えている。第１の重ね代部２８は、鋼板１１が折り曲げられたときに、図１及び図２（ａ）に示すように、左上面２１Ｌと重なり、左上面２１Ｌの下側に位置する。
【００２６】
右上面２１Ｒは、左側縁に第２の重ね代部２９を備えている。鋼板１１が折り曲げられて出隅用水切り材１０が組み立てられたときに、図１に示すように、第２の重ね代部２９の左側の部分が、左上面２１Ｌ及び第１の重ね代部２８の下側に位置し、第２の重ね代部２９の残りの部分は、中上面２１Ｃの下側に位置する。
【００２７】
このように、本実施形態では、図１及び図２（ａ）に示すように、左上面２１Ｌ、第１の重ね代部２８、及び第２の重ね代部２９が重畳している。第１の重ね代部２８と左上面２１Ｌとが重畳する部分において、第１の重ね代部２８の面積は、第２の重ね代部２９より大きく、第２の重ね代部２９の全域が、第１の重ね代部２８と重なっている。また、中上面２１Ｃ及び第２の重ね代部２９が重畳している。
【００２８】
図３に示すように、上面２１（２１Ｌ、２１Ｒ）の上辺から上方へ連続して立ち上がり面３０（３０Ｌ、３０Ｒ）が形成されている。鋼板１１が折り曲げられて出隅用水切り材１０が組み立てられたときに、図１に示すように、立ち上がり面３０は、上面２１から上方へ立ち上がる。
【００２９】
図３に示すように、左立ち上がり面３０Ｌの右端縁の下側には、右方に突出する第３の突出片３７が形成されている。右立ち上がり面３０Ｒの左端縁の上側には、左方に突出する第４の突出片３９が形成されている。
鋼板１１が折り曲げられて出隅用水切り材１０が組み立てられたときに、図１に示すように、第４の突出片３９は、第３の突出片３７の上方に位置し、第４の突出片３９の下端３９ａと、第３の突出片３７の上端３７ａとが係合する。
【００３０】
図３に示すように、第３の突出片３７の上端３７ａにおける、左立ち上がり面３０Ｌと第３の突出片３７との境界には、下方に凹む係合部３７ｂが形成されている。
また、第４の突出片３９の下端３９ａにおける、右立ち上がり面３０Ｒと第４の突出片３９との境界には、上方に凹む係合部３９ｂが形成されている。
【００３１】
図３に示すように、係合部３７ｂ、３９ｂの上下方向における高さは、略同じであり、第３の突出片３７の上端３７ａは、第４の突出片３９の下端３９ａより若干高いので、鋼板１１が折り曲げられて出隅用水切り材１０が組み立てられるときに、図１及び図２（ｂ）、（ｃ）に示すように、係合部３７ｂ、３９ｂが係合する。これにより、第４の突出片３９の下端３９ａと、第３の突出片３７の上端３７ａとが垂直方向に係合して組み合わせられる。
また、第３の突出片３７と第４の突出片３９とが係合したとき、図１及び図２（ａ）に示すように、第３の突出片３７と第４の突出片３９とは、立ち上がり面３０（３０Ｌ、３０Ｒ）の後方面側に位置する。
【００３２】
図３に示すように、鋼板１１は、側面２２Ｌ、２２Ｃの境界下端の基点５２と、側面２２Ｃ、２２Ｒの境界下端の基点５２との各々から下方へ向けて略Ｖ字状に切除されており、これらの切除部位が連なることにより、鋼板１１の底面２３における中央部には、切り欠き部２５が形成されている。
底面２３は、２つの基点５２の各々から下方へ延びるように形成された切り欠き部２５によって、左底面２３Ｌ、中底面２３Ｃ、右底面２３Ｒの３つに区画されている。
【００３３】
図３に示すように、底面２３（２３Ｌ、２３Ｒ）は、第１底面２３ａ（２３Ｌａ、２３Ｒａ）と、第２底面２３ｂ（２３Ｌａ、２３Ｒａ）とからなり、第１底面２３ａと第２底面２３ｂとの境界に位置する折り曲げ線４１において折り曲げられる。折り曲げ線４１は、側面２２と底面２３との境界線と平行である。
【００３４】
鋼板１１が折り曲げられて出隅用水切り材１０が組み立てられたとき、図２（ｃ）に示すように、第１底面２３ａ（２３Ｌａ、２３Ｒａ）は、側面２２（２２Ｌ、２２Ｒ）の下端から後上方に立ち上がり、第２底面２３ｂ（２３Ｌｂ、２３Ｒｂ）は、第１底面２３ａの後端から水平に且つ後方に延びる。
【００３５】
図３に示すように、中底面２３Ｃは、下方に延びているが、折り曲げ線４１の位置より下方には延びていない。従って、鋼板１１が折り曲げられて出隅用水切り材１０が組み立てられたとき、中底面２３Ｃは、図２（ｃ）に示すように、第２底面２３ｂよりも上方には突出せず、図２（ｄ）に示すように、第２底面２３ｂには重ならない。
【００３６】
図３に示すように、第２左底面２３Ｌｂの右端縁の上側には、右方に突出する第１の突出片４７が形成されている。第２右底面２３Ｒｂの左端縁の下側には、左方に突出する第２の突出片４９が形成されている。
鋼板１１が折り曲げられて出隅用水切り材１０が組み立てられたときに、図２（ｄ）に示すように、第２の突出片４９は、第１の突出片４７の後方に位置し、第２の突出片４９の前端４９ａと第１の突出片４７の後端４７ａとが係合する。
【００３７】
図２（ｄ）に示すように、第１の突出片４７の後端（図３では下端）４７ａにおける、第２左底面２３Ｌｂと第１の突出片４７との境界には、後方（図３では下方）に凹む係合部４７ｂが形成されている。
また、第２の突出片４９の前端（図３では上端）４９ａにおける、第２右底面２３Ｒｂと第２の突出片４９との境界には、前方（図３では上方）に凹む係合部４９ｂが形成されている。
【００３８】
図２（ｄ）に示すように、係合部４７ｂ、４９ｂの前後方向における位置は、略同じであり、第１の突出片４７の後端４７ａは、第２の突出片４９の前端４９ａよりも若干後方に位置するので、鋼板１１が折り曲げられて出隅用水切り材１０が組み立てられるときに、係合部４７ｂ、４９ｂが係合する。これにより、第４の突出片４９の前端４９ａと、第３の突出片４７の後端４７ａとが水平方向で係合して組み合わせられる。
また、第１の突出片４７と第２の突出片４９とが係合したとき、図２（ｄ）に示すように、第１の突出片４７と第２の突出片４９とは、第２底面２３ｂ（２３Ｌｂ、２３Ｒｂ）の上方面側に位置する。
【００３９】
底面２３（２３Ｌ、２３Ｒ）には、複数の貫通孔４０が形成されている。
複数の貫通孔４０は、折り曲げ線４１に沿って、間隔を空けて形成されている。各貫通孔４０は、折り曲げ線４１を跨いで第１底面２３ａ及び第２底面２３ｂに及ぶ矩形状を有している。
【００４０】
出隅用水切り材１０によれば、１枚の鋼板１１を折曲して組み上げたときに、基台部２０の底面２３において、第１の突出片４７と第２の突出片４９との係合により、水平方向に働く力を規制し、立ち上がり面３０の第３の突出片３７と第４の突出片３９との係合により垂直方向に働く力を規制できるので、リベットなどの固定部材を用いることなく、出隅用水切り材１０の組み上げ形状を好適に維持できるとともに、第３の突出片３７及び第４の突出片３９を立ち上がり面３０の後方側に位置させて立ち上がり面３０の前方面を凹凸のない平滑面とすることができる。
【００４１】
出隅用水切り材１０の立ち上がり面３０の前方面には、両面テープ（図示せず）が貼付され、両面テープにより、透湿シートや気密シート等のシートが設置される。図１において、６０は、両面テープが貼り付けられる領域（テープ貼付領域）を示している。
出隅用水切り材１０では、立ち上がり面３０の前方面が凹凸のない平滑面であるため、テープ貼付領域６０に両面テープを貼り付けたときに、立ち上がり面３０と両面テープとの間に隙間が生じ難い。従って、透湿シートや気密シート等のシートの機能が隙間によって損なわれることを防止することができる。なお、テープ貼付領域６０の位置は、この例に限定されず、立ち上がり面３０の前表面であれば任意に設定され得る。
【００４２】
以上、出隅用水切り材１０について説明したが、本発明は、この例に限定されず、例えば、以下の構成を採用することができる。
【００４３】
図４は、本発明の他の実施形態に係る出隅用水切り材の製造前の状態における鋼板を示す平面図である。図４では、図３と同じ構成には同じ符号を付しており、同じ構成については、その説明を省略することとする。
【００４４】
図４に示す鋼板１１´では、第２の重ね代部２９´の形状が、図３に示す鋼板１１における第２の重ね代部２９の形状と異なっている。
図４に示す鋼板１１´を折り曲げて出隅用水切り材を組み立てた場合、第２の重ね代部２９´は、左上面２１Ｌと重ならない。すなわち、左上面２１Ｌは、第１の重ね代部２８のみと重畳し、第２の重ね代部２９´は、中上面２１Ｃのみと重畳する。
本発明では、第１の突出片４７と第２の突出片４９との係合により水平方向に働く力を規制するとともに、第３の突出片３７と第４の突出片３９との係合により垂直方向に働く力を規制するので、図４に示すように、第２の重ね代部２９´が、第１の重ね代部２８に重畳せず、中上面２１Ｃのみと重畳する場合であっても、出隅用水切り材１０の組み上げ形状を好適に維持することができる。
【００４５】
また、図３、図４に示す鋼板１１を組み上げた場合、第２の突出片４９が第１の突出片４７の後側に位置し、第２の突出片４９の前端４９ａと第１の突出片４７の後端４７ａとが係合し、第４の突出片３９が第３の突出片３７の上方に位置し、第４の突出片３９の下端３９ａと第３の突出片３７の上端３７ａとが係合するが、本発明は、この例に限定されない。
例えば、第１の突出片が第２の突出片の後側に位置し、第１の突出片の前端と第２の突出片の後端とが係合し、第３の突出片が第４の突出片の上方に位置し、第３の突出片の下端と第４の突出片の上端とが係合してもよい。このように係合しても、本実施形態と同様に、垂直方向に働く力を規制でき、組み上げ形状を強固に維持することができる。
【００４６】
すなわち、本発明では、第１〜第４の突出片の位置関係について、組み立て前の鋼板（図３及び図４参照）の上下方向において、左側の２つの突出片（第１の突出片４７及び第３の突出片３７）が、右側の２つの突出片（第２の突出片４９及び第４の突出片３９）の間に位置することが望ましい。組み上げ形状の安定性を向上させることができるからである。
なお、右側の２つの突出片を、左側の２つの突出片の間に位置させても、同様の効果を得ることができる。
【００４７】
また、上述した例では、製造時に、図１に示した状態まで組み上げ、使用者や施工者が、建築物のコーナー部分に設置する場合について説明したが、本発明は、この例に限定されない。例えば、製造時に途中まで組み上げておき、使用者や施工者が、図１に示した状態まで組み上げた後に建築物のコーナー部分に設置することとしてもよい。
【００４８】
また、上述した例では、基台部２０が中側面２２Ｃによって面取りされている場合について説明したが、本発明は、この例に限定されず、基台部２０は面取りされていなくてもよい。
【００４９】
なお、本発明は、上述した例に限定されるものではなく、本発明の構成を充足する範囲内で、適宜設計変更を行うことが可能である。
【符号の説明】
【００５０】
１０  出隅用水切り材
１１、１１´  鋼板
２０（２０Ｌ、２０Ｃ、２０Ｒ）  基台部
２１（２１Ｌ、２１Ｃ、２１Ｒ）  （基台部２０の）上面
２２（２２Ｌ、２２Ｃ、２２Ｒ）  （基台部２０の）側面
２３（２３Ｌ、２３Ｃ、２３Ｒ）  （基台部２０の）底面
２３ａ（２３Ｌａ、２３Ｒａ）  （底面２３の）第１底面
２３ｂ（２３Ｌｂ、２３Ｒｂ）  （底面２３の）第２底面
２５  （底面２３の）切り欠き部
２６  （上面２１の）切り欠き部
２８  第１の重ね代部
２９、２９´  第２の重ね代部
３０（３０Ｌ、３０Ｒ）  立ち上がり面
３７  第３の突出片
３７ａ  （第３の突出片３７の）上端
３７ｂ  （第３の突出片３７の）係合部
３９  第４の突出片
３９ａ  （第４の突出片３９の）下端
３９ｂ  （第４の突出片３９の）係合部
４０  貫通孔
４１  （底面２３の）折り曲げ線
４７  第１の突出片
４７ａ  （第１の突出片４７の）後端
４７ｂ  （第１の突出片４７の）係合部
４９  第２の突出片
４９ａ  （第２の突出片４９の）前端
４９ｂ  （第２の突出片４９の）係合部
５０  （側面２２の）折り曲げ線
５１、５２  基点
６０  テープ貼付領域
【図１】
0005611787.tif 000002
【図２】
0005611787.tif 000003
【図３】
0005611787.tif 000004
【図４】
0005611787.tif 000005